(57)【要約】【課題】墓周りにも、家庭内でも、簡単かつ容易に使用することができ、故人の遺影，記録事項を良好に長期にわたって保つことができ、参る人の記憶を鮮明によみがえらすことができるようにしたメモリアル器具を提供する。【解決手段】墓石１の側部に、防水性，防湿性，耐候性処理を施してパネル状にした遺影を複数枚収納可能かつ回転可能な写真収納筒体３と、法名碑あるいは墓誌としてのプレートを複数枚収納可能かつ出し入れ可能な収納箱状体４とを設置する。【選択図】　　図１
2004143904.tif 000002
【特許請求の範囲】
【請求項１】
防水性，防湿性，耐候性処理を施してパネル状にした写真を複数枚収納可能かつ回転可能な写真収納筒体と、法名碑あるいは墓誌としてのプレートを複数枚収納可能かつ出し入れ可能な収納箱状体とからなるメモリアル器具。
【請求項２】
墓石の近傍に、前記写真収納筒体と前記収納箱状体とを設置したことを特徴とする請求項１記載のメモリアル器具。
【発明の詳細な説明】
【０００１】
【発明の属する技術分野】
本発明は、仏壇，墓などに設置されて、故人の顔写真，種々の記念写真および記録写真、あるいは法名，墓誌などの記録事項を保管できるようにしたメモリアル器具に関するものである。
【０００２】
【従来の技術】
従来、一般的な墓としては、墓石を中心として、その側部に法名碑あるいは墓誌などが設置されているものである。
【０００３】
そして、墓参りをする人は、故人を思い浮かべながら御参りをすることになるが、故人の記憶が明瞭であればよいが、年月を経るにしたがって、その記憶は薄れる。そこで、特許文献１，２に記載されているように、墓石に遺影（顔写真）を設けることが考えられている。
【０００４】
また、遺影と同じく故人の記録事項である法名碑あるいは墓誌は、現在、一般的には、石盤を１枚立てたものが使用されており、石盤の表面積から、年月が経過すると法名碑あるいは墓誌における記載数が多くなるため、記載事項は限られることになる。そこで、特許文献３に記載されているように、複数枚の表示板を着脱可能にした墓用法名碑が考えられている。
【０００５】
【特許文献１】
特開２００２−１７４０５２号公報
【特許文献２】
登録実用新案第３０８４１１３号公報
【特許文献３】
登録実用新案第３０３２４１３号公報
【０００６】
【発明が解決しようとする課題】
しかしながら、前記特許文献１，２に記載されたものは、墓石，墓碑などに直接加工を施して写真を設けるなど外観的にも特異なものになり、一種独特の雰囲気をかもし出す必要がある墓周辺に設置するものとしては実施しづらいという問題がある。また、数多くの写真などを設置することが制限され、写真などの着脱が困難である。
【０００７】
さらに、前記各特許文献に記載されたものは、墓石，墓碑などを対象にしているため、一般家庭内でのメモリアル器具としては使用できない。
【０００８】
そこで、本発明の目的は、前記従来のものの問題を解消して、墓周りにも、家庭内でも、簡単かつ容易に使用することができ、故人の遺影，記録事項を良好に長期にわたって保つことができ、参る人の記憶を鮮明によみがえらすことができるようにしたメモリアル器具を提供することにある。
【０００９】
【課題を解決するための手段】
前記目的は本発明の次のような手段によって解決することができる。
本発明のメモリアル器具は、防水性，防湿性，耐候性処理を施してパネル状にした遺影などの写真を複数枚収納可能かつ回転可能な写真収納筒体と、法名碑あるいは墓誌としてのプレートを複数枚収納可能かつ出し入れ可能な収納箱状体とからなるものであって、写真収納筒体と収納箱状体とを備えることによって、故人の多くの遺影，写真および記録を、いつでも、その場で見ることができるため、故人に対する記憶が鮮明によみがることになる。
【００１０】
本発明のメモリアル器具は、家庭内の仏壇などに設置してもよいが、墓石の近傍に設置することが、より効果的である。
【００１１】
【発明の実施の形態】
以下、本発明の好適な実施形態について図面を参照しながら説明する。
【００１２】
図１は本発明の実施形態を説明するためのメモリアル器具を墓石の側部に設置した例を示す斜視図であり、１は墓石、２は石材からなる収納枠体、３は防水性，防湿性，耐候性処理を施してパネル状にした遺影（各種写真，絵画）を複数枚収納可能かつ回転可能な写真収納筒体、４は法名碑あるいは墓誌としてのプレートを複数枚収納可能かつ出し入れ可能な収納箱状体である。
【００１３】
図２は写真収納筒体の斜視図、図３は写真収納筒体の縦断面図、図４は写真収納筒体の平面状態の説明図であり、写真収納筒体３は、蓋体５と、写真収納中空体６と、受け台７とからなっている。
【００１４】
写真収納中空体６の４側面には、それぞれ扉８が観音開き可能にヒンジ結合されており、各扉８には、後で説明するように、写真パネル９が設置されて、扉８が開放されると外部から写真パネル９が見えるようになっている。さらに中央空間１０には、扉８に収納しない他の写真パネルを収納することが可能になっている。写真収納中空体６の下面と受け台７との間には、写真収納中空体６の円周方向の回転を可能にするため、本例では石製の摺動球体１１が複数個設けられている。
【００１５】
蓋体５の写真収納中空体６内部に位置する部分には、写真収納中空体６内部の環境雰囲気、例えばカビ発生の防止するなどの目的から炭の粉末体あるいは青森ヒバの粉末体１２などを収納する収納室１３が設けられている。
【００１６】
図５は前記扉の一部を断面して示す斜視図であり、扉８は、大写真パネル９ａを収納する正面写真収納室８ａと、小写真パネル９ｂを収納する開閉扉部８ｂとからなっており、開閉扉部８ｂを開放することによって、正面写真収納室８ａと開閉扉部８ｂとに収納されている各写真パネル９ａ，９ｂが見られるようになっている。
【００１７】
図６は前記写真パネルの構造を説明するための斜視図であって、薄いプラスチック１４を複数枚重ねたものでラミネート処理を施した写真１５を挟むようにしている。これにより、紫外線が写真１５に入射せず、防水性，防湿性，耐候性を向上させている。写真パネルとしては、石材に直接焼き付け処理を行うなど、防水性，防湿性，耐候性に問題がなければ、他の方法を採用することも可能である。
【００１８】
図７は収納箱状体の斜視図、図８は収納箱状体の正面図、図９は収納箱状体の断面図であり、収納箱状体４は石材を主体として製造されたものであって、本例では各側面が開口した角形の枠体部材１６と、枠体部材１６を支える足部材１７とからなっており、法名碑あるいは墓誌としての石材などからなる複数枚のプレート１８が枠体部材１６の内部に出し入れ可能に収納される。
【００１９】
なお、前記実施形態の各部を石材で構成すると説明したが、仕様によっては各部を木材，樹脂，ステンレスまたは銅などの金属、あるいは、それらの鋳造品によって製造することも考えられる。また墓石も種々の形状，形態のものであり、図示したものに限定されない。
【００２０】
また、図１０に示すように、写真収納筒体３と収納箱状体４との前方に扉１９を設置して、非使用時に写真収納筒体３と収納箱状体４を覆うようにしておくことも考えられる。さらに図１１に示すように、図１０に示す構造に加えて、上部を覆う屋根部材２１を設けることも考えられる。
【００２１】
また、前記実施形態において、写真収納筒体３と収納箱状体４のみからなるメモリアル器具を構成して、墓石とは関係ない小型のものを製造することによって、室内での使用、例えば仏壇などに設置することが可能になり、さらには仏教以外墓に本メモリアル器具を使用することも可能になる。
【００２２】
また、図１の墓石１に換えて、前面に扉を取り付けた箱状体を設置することにより、仏壇としても使用することが可能になる。
【００２３】
【発明の効果】
以上のように、本発明のメモリアル器具においては、写真収納筒体と収納箱状体とを備えることによって、故人の多くの遺影，写真および記録を、いつでも任意に、その場で見ることできるようにすることが可能になる。
【図面の簡単な説明】
【図１】本発明の実施形態を説明するためのメモリアル器具を墓石の側部に設置した例を示す斜視図
【図２】本実施形態の写真収納筒体の斜視図
【図３】本実施形態の写真収納筒体の縦断面図
【図４】本実施形態の写真収納筒体における平面状態の説明図
【図５】本実施形態の写真収納筒体における扉の一部を断面して示す斜視図
【図６】本実施形態の写真パネルの構造を説明するための斜視図
【図７】本実施形態の収納箱状体の斜視図
【図８】本実施形態の収納箱状体の正面図
【図９】本実施形態の収納箱状体の断面図
【図１０】本発明の他の実施形態を示す斜視図
【図１１】本発明の他の実施形態を示す斜視図
【符号の説明】
１　墓石
２　収納枠体
３　写真収納筒体
４　収納箱状体
８　扉
９，９ａ，９ｂ　写真パネル
１６　枠体部材
１７　足部材
【図１】
2004143904.tif 000003
【図２】
2004143904.tif 000004
【図３】
2004143904.tif 000005
【図４】
2004143904.tif 000006
【図５】
2004143904.tif 000007
【図６】
2004143904.tif 000008
【図７】
2004143904.tif 000009
【図８】
2004143904.tif 000010
【図９】
2004143904.tif 000011
【図１０】
2004143904.tif 000012
【図１１】
2004143904.tif 000013